(57)【要約】【課題】スロットマシンのコイン投入口にコインを自動的に連続して投入することができ、既存のスロットマシンに対し容易に適用することができるコイン投入装置を提供する。【解決手段】コインを受け入れるように上部を広く開口したコインホッパー２が本体ケース３の上部に設けられ、本体ケース３に連通し且つ本体ケースから突出するようにコイン送り部５が設けられる。本体ケース３内にコンベヤ装置４がコインホッパー２から本体ケース３内に進入したコインをコイン送り部５に向けて送るように設けられる。本体ケース３の一部に取り付けたステー部材６の端部がスロットマシンの前扉１０の側縁部に固定されて、本体ケース３が前扉１０の前面に取り付けられる。【選択図】図２
2007236609.tif 000002
【特許請求の範囲】
【請求項１】
スロットマシンのコイン投入口にコインを投入するコイン投入装置において、
コインを受け入れるように上部を広く開口したコインホッパーを上部に設けた本体ケースと、
該本体ケースに連通し且つ該本体ケースから突出して設けられたコイン送り部と、
該本体ケース内に設けられ、該コインホッパーから該本体ケース内に進入したコインを該コイン送り部に向けて送るコンベヤ装置と、
を備え、該コイン送り部の先端の一部が該コイン投入口に接続され、該本体ケースの一部に取り付けたステー部材の端部が該スロットマシンの前扉の側縁部に固定されて、該本体ケースが該前扉の前面に取り付けられることを特徴とするコイン投入装置。
【請求項２】
前記ステー部材は、その先端部が前記スロットマシンの前扉の自由端側の縁部を挟持して、固定ねじにより着脱可能に締め付け固定されることを特徴とする請求項１記載のコイン投入装置。
【発明の詳細な説明】
【技術分野】
【０００１】
本発明は、スロットマシンのコイン投入口に対し、コインを自動的に連続して投入することが可能なコイン投入装置に関する。
【背景技術】
【０００２】
スロットマシンのコイン投入口は、通常、１枚のコインを挿入可能な縦方向の狭いスリット状の孔、つまりスロット孔を有して構成され、遊技者は、複数のコインを手に持った場合でも、１枚づつのコインをコイン投入口に挿入するように、コインを投入している。
【０００３】
このため、遊技者にとっては、多くのコインを連続して投入する際には、コイン投入の操作が煩雑であり、また、ホール側にとっては、ゲームの進行が遅くなって、スロットマシンの稼働率が低下しやすい。
【０００４】
そこで、従来、下記特許文献１などにおいて、コインを自動的にコイン投入口に送り込むコンベヤ式のコイン投入機構が提案されている。
【特許文献１】特開２００３−３３９９４７号公報
【発明の開示】
【発明が解決しようとする課題】
【０００５】
しかし、従来のこの種のコンベヤ式コイン投入装置は、コンベヤによりコインを水平方向に送り、コンベヤの終端部からコインをコイン投入口にそのまま落下させる構造であるため、コインが詰まり易いという不具合があった。また、既存のスロットマシンのコイン投入口に対し、コイン投入装置を装着するためには、スロットマシンの外部構造を改造する必要が生じ、簡単に適用することが難しいという課題がった。
【０００６】
本発明は、上述の点に鑑みなされたもので、スロットマシンのコイン投入口にコインを自動的に連続して投入することができ、既存のスロットマシンに対し容易に適用することができるコイン投入装置を提供することを目的とする。
【課題を解決するための手段】
【０００７】
上記課題を解決するために、本発明のコイン投入装置は、スロットマシンのコイン投入口にコインを投入するコイン投入装置において、コインを受け入れるように上部を広く開口したコインホッパーを上部に設けた本体ケースと、該本体ケースに連通し且つ該本体ケースから突出するように設けられたコイン送り部と、該本体ケース内に設けられ、該コインホッパーから本体ケース内に進入したコインをコイン送り部に向けて送るコンベヤ装置と、を備え、該コイン送り部の先端の一部がコイン投入口に接続され、該本体ケースの一部に取り付けたステー部材の端部がスロットマシンの前扉の側縁部に固定されて、該本体ケースが該前扉の前面に取り付けられることを特徴とする。
【０００８】
ここで、ステー部材は、その先端部が前記スロットマシンの前扉の自由端側の縁部を挟持して、固定ねじにより着脱可能に締め付け固定されるように構成することができる。
【発明の効果】
【０００９】
上記構成のコイン投入装置は、スロットマシンのコイン投入口の外側近傍に装着され、その取り付けは、本体ケースの一部に固定したステー部材によって行なわれ、ステー部材の端部は、前扉の側縁部に固定され、コイン送り部はコイン投入口に接続して装着される。
【００１０】
したがって、既存のスロットマシンであっても、スロットマシンの外部構造を改造することなく、コイン投入装置を前扉の前面に容易に装着することができる。また、スロットマシンによって、コイン投入口の位置が微妙にずれている場合であっても、コイン送り部の長さを変えるだけで、対応することができる。
【００１１】
使用時には、遊技者がある程度の枚数のコインを本体ケース上部のコインホッパーに入れることができ、投入されたコインはコインホッパーから本体ケース内に入り、コンベヤ装置上に載る。そして、コンベヤ装置によってコインは、１枚ずつコンベヤ装置の終端部からコイン送り部に搬送され、コインは、そのコイン送り部からスロットマシンのコイン投入口に送られ、そのスロット孔に落下していく。したがって、遊技者は、コインを手に持って一枚づつコイン投入口に投入するという煩雑な操作をせずに、或る程度の枚数のコインを掴んでコインホッパーに入れるだけで、容易に多数のコインを自動的に投入することができる。
【発明を実施するための最良の形態】
【００１２】
以下、本発明の一実施形態を図面に基づいて説明する。図１はスロットマシンに取り付けられたコイン投入装置１の正面図を示し、図２、図３はその断面図を示している。このコイン投入装置１は、スロットマシンのコイン投入口１１の近傍に取り付けられ、多数の自動的にコインを投入するために使用される。
【００１３】
コイン投入装置１は、直方体状の箱型に形成された本体ケース３を有し、その本体ケース３の上部に、コインを受け入れるように上部を広く開口したコインホッパー２が取り付けられている。コインホッパー２の底部で本体ケース３内に開口した下開口部は、コインの直径より少し大きい内径の円形孔として形成され、コインホッパー２内の上方から挿入されたコインを、１枚づつ本体ケース３内に送ることが可能な形状に形成されている。
【００１４】
本体ケース３は、スロットマシンの前扉１０におけるコイン投入口１１の近傍の右側縁部に装着される。本体ケース３の右側部には、図３に示すように、板状のステー部材６が背面側に向けて突設されるように取り付けられている。ステー部材６の背面側の先端には、左側にＵ字状の曲げられた折曲端部６ａが形成され、この折曲端部６ａをスロットマシンの前扉１０の内側に自由端側の縁部から差し込み、前扉１０の縁部を、折曲端部６ａで挟んで固定するように取り付けられる。
【００１５】
本体ケース３内には、コンベヤ装置４が略水平に配設されている。コンベヤ装置４は、本体ケース３内において、コインホッパー２の底部の真下位置からケース内の奥に向かって、つまり前扉側に向かってコインを送るように、配置されている。コンベヤ装置４は、水平に軸支された１対のプーリ４ｂ、４ｂ間に、コンベヤベルト４ａを掛け渡して回転駆動可能に形成され、コンベヤベルト４ａの上面には、一定の間隔で突起が設けられ、ベルト上に載ったコインを突起で押して送ることができる。
【００１６】
一方のプーリ４ｂの回転軸は、減速器付きのモータ４ｃにより回転駆動するように、駆動ベルトを介してモータ４ｃの回転軸と連係されている。コインホッパー２の下部にコインセンサ７が取り付けられ、コインがコインホッパー２からコンベヤベルト４ａ上に落下したとき、コンベヤ装置４が一定時間、回転駆動されるようしている。
【００１７】
コンベヤ装置４の終端部（前扉の正面側で本体ケース奥側）の下方には、コインを左側に送るようにガイド通路８が設けられている。ガイド通路８は、本体ケース３の左側壁部に接続されたコイン送り部５に連通するようになっている。
【００１８】
コイン送り部５は、本体ケース３の左側壁部の背面側に、本体ケース３に連通し且つコイン投入口１１に向けて突出するように取り付けられる。コイン送り部５は、上記のように、コンベヤ装置４によって終端まで送られたコインを、ガイド通路８を介して受け入れ、コイン投入口１１に送るように形成される。また、このコイン送り部５は、コインを立てた状態で転動させながら送るように形成され、コインをそのまま立てた状態でコイン投入口１１のスロット孔１１ａに投入可能なように、コイン送り部５の先端部は、下方に曲がり、垂直状態でコイン投入口１１に接続される構造となっている。
【００１９】
上記のように構成されるコイン投入装置１は、スロットマシンの前扉１０前面におけるコイン投入口１１近傍の右側縁部に取り付けられる。その際、図４のように、本体ケース３の右側に固定したステー部材６の先端の折曲端部６ａを、前扉１０の自由端側の縁部隙間から内側に差し込み、その前扉１０の側縁部を折曲端部６ａで挟む。そして、固定ねじ６ｂを折曲端部６ａに設けたねじ孔にねじ込み、固定ねじの先端と折曲端部６ａで前扉１０の側縁部を挟み、締付けるようにして、ステー部材６つまり本体ケース３は前扉１０の前面に取り付けられる。また、コイン送り部５の先端部は、図２のように、コイン投入口１１の上端部に嵌め込まれ、接続される。
【００２０】
遊技者がスロットマシンゲームを行う場合、コインをコイン投入装置１のコインホッパー２内に入れる。コインホッパー２内にはコインを満杯になるまで入れることができる。コインホッパー２内にコインが投入されると、その下部に設けたコインセンサ７によってコインが検出され、コインが検出されると、コンベヤ装置４が回転駆動を開始する。コンベヤ装置４のコンベヤベルト４ａは、図２に示すように、その上搬送部が図の左方向（本体ケース３内の背面側）に移動し、その上に載ったコインＣがコンベヤベルト４ａの突起に押されてコイン送り部５側に送られる。
【００２１】
そして、コンベヤ装置４の終端部まで搬送されたコインＣは、ガイド通路８に落下し、ガイド通路８によって左側のコイン送り部５に入る。そして、図２、図３に示すように、コインＣは、コイン送り部５内を転動しながら約９０°下方に曲がるように進み、コイン投入口１１のスロット孔１１ａに垂直に落下し、投入される。このような動作が、コンベヤ装置４のコンベヤベルト４ａ上にコインＣが載るごとに、繰り返され、コインホッパー２内のコインＣは、次々とコンベヤ装置４からコイン送り部５に送られ、コイン送り部５の先端部からスロットマシンのコイン投入口１１内に投入されていく。
【００２２】
したがって、遊技者は、ある程度の枚数のコインを手につかんで、そのままコインホッパー２内に、コインＣを入れるだけの簡単な操作で、多くのコインを自動的に且つ効率良く投入することができるから、遊技者が希望すれば、スロットマシンゲームの進行を速めることができる。
【００２３】
また、コイン投入装置１の本体ケース３は、ステー部材６の先端をスロットマシンの前扉の右側縁部に挟み込んで固定し、コイン送り部５の先端はコイン投入口１１の上端部には嵌め込んで接続するため、スロットマシンの前扉の右側端部に簡単に取り付けることができ、既存のスロットマシンにも使用することができる。
【図面の簡単な説明】
【００２４】
【図１】本発明の一実施形態を示すコイン投入装置の正面図である。
【図２】図１のII-II拡大断面図である。
【図３】図２のIII-III断面図である。
【図４】図３のIV-IV断面図である。
【符号の説明】
【００２５】
１  コイン投入装置
２  コインホッパー
３  本体ケース
４  コンベヤ装置
５  コイン送り部
６  ステー部材
６ａ  折曲端部
６ｂ  固定ねじ
１０  前扉
１１  コイン投入口
【図１】
2007236609.tif 000003
【図２】
2007236609.tif 000004
【図３】
2007236609.tif 000005
【図４】
2007236609.tif 000006